【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
印刷材収容体のメモリを制御するメモリ制御回路と、前記メモリと異なるデバイスを駆動する駆動回路と、短絡検出回路と、前記メモリ制御回路に接続された複数の第１の装置側端子と、前記駆動回路に接続された第２の装置側端子と、前記短絡検出回路に接続された第３の装置側端子と備え、前記第２の装置側端子と前記第３の装置側端子とが互いに隣り合って配置されている印刷装置に装着可能な印刷材収容体であって、
前記印刷装置の印刷ヘッドに印刷材を供給する印刷材供給口と、
メモリと、
前記メモリに印加される電圧よりも高い電圧が用いられる高電圧回路を構成するデバイスと、
前記メモリに接続されていると共に、前記印刷材収容体が前記印刷装置に装着された時に前記複数の第１の装置側端子と接触する複数の第１の端子と、
前記デバイスに接続されていると共に、前記印刷材収容体が前記印刷装置に装着された時に前記第２の装置側端子と接触する第２の端子と、
前記印刷材収容体が前記印刷装置に装着された時に前記第３の装置側端子と接触する第３の端子と、を備え、
前記第３の端子は、前記第２の端子と前記第３の端子との間の短絡の検出に使用されることを特徴とする印刷材収容体。
【請求項２】
印刷材収容体のメモリを制御するメモリ制御回路と、前記メモリと異なるデバイスを駆動する駆動回路と、短絡検出回路と、前記メモリ制御回路に接続された複数の第１の装置側端子と、前記駆動回路に接続された第２の装置側端子と、前記短絡検出回路に接続された第３の装置側端子と備え、前記複数の第１の装置側端子と、前記複数の第２の装置側端子と、前記第３の装置側端子とは複数の列を形成するように配置され、前記複数の装置側端子は前記複数の列うち前記印刷材収容体が挿入される方向の奥側の列の端に配置されており、前記第２の装置側端子と前記第３の装置側端子とが互いに隣り合って配置されている印刷装置に装着可能な印刷材収容体であって、
前記印刷装置の印刷ヘッドに印刷材を供給する印刷材供給口と、
メモリと、
前記メモリに印加される電圧よりも高い電圧が用いられる高電圧回路を構成するデバイスと、
前記メモリに接続されていると共に、前記印刷材収容体が前記印刷装置に装着された時に前記複数の第１の装置側端子と接触する複数の第１の端子と、
前記デバイスに接続されていると共に、前記印刷材収容体が前記印刷装置に装着された時に前記第２の装置側端子と接触する第２の端子と、
前記印刷材収容体が前記印刷装置に装着された時に前記第３の装置側端子と接触する第３の端子と、を備え、
前記第３の端子は、前記第２の端子と前記第３の端子との間の短絡の検出に使用されることを特徴とする印刷材収容体。
【請求項３】
印刷材収容体のメモリを制御するメモリ制御回路と、
前記メモリと異なるデバイスを駆動する駆動回路と、
短絡検出回路と、
前記メモリ制御回路に接続された複数の第１の装置側端子と、前記駆動回路に接続された第２の装置側端子と、前記短絡検出回路に接続された第３の装置側端子と有するホルダと、を備え、
前記ホルダに印刷材収容体が装着された、印刷装置であって、
前記第２の装置側端子と前記第３の装置側端子とが互いに隣り合って配置されており、
前記印刷材収容体は、
当該印刷装置の印刷ヘッドに印刷材を供給する印刷材供給口と、
メモリと、
前記メモリに印加される電圧よりも高い電圧が用いられる高電圧回路を構成するデバイスと、
前記メモリに接続されていると共に、前記印刷材収容体が前記印刷装置に装着された時に前記複数の第１の装置側端子と接触する複数の第１の端子と、
前記デバイスに接続されていると共に、前記印刷材収容体が前記印刷装置に装着された時に前記第２の装置側端子と接触する第２の端子と、
前記印刷材収容体が前記印刷装置に装着された時に前記第３の装置側端子と接触する第３の端子と、を備え、
前記第３の端子は、前記第２の端子と前記第３の端子との間の短絡の検出に使用されることを特徴とする印刷装置。
【請求項４】
請求項３記載の印刷装置であって、
複数の前記第２の装置側端子を有し、
前記複数の第１の装置側端子と、前記複数の第２の装置側端子と、前記第３の装置側端子とは複数の列を形成するように配置されており、
前記複数の第２の装置側端子は、前記複数の列のうち前記印刷材収容体が挿入される方向の奥側の列の端に配置されていることを特徴とする印刷装置。
【手続補正２】
【補正対象書類名】明細書
【補正対象項目名】０００６
【補正方法】変更
【補正の内容】
【０００６】
上記課題を解決するために、本発明の第１の形態は、印刷材収容体のメモリを制御するメモリ制御回路と、前記メモリと異なるデバイスを駆動する駆動回路と、短絡検出回路と、前記メモリ制御回路に接続された複数の第１の装置側端子と、前記駆動回路に接続された第２の装置側端子と、前記短絡検出回路に接続された第３の装置側端子と備え、前記第２の装置側端子と前記第３の装置側端子とが互いに隣り合って配置されている印刷装置に装着可能な印刷材収容体であって、
前記印刷装置の印刷ヘッドに印刷材を供給する印刷材供給口と、
メモリと、
前記メモリに印加される電圧よりも高い電圧が用いられる高電圧回路を構成するデバイスと、
前記メモリに接続されていると共に、前記印刷材収容体が前記印刷装置に装着された時に前記複数の第１の装置側端子と接触する複数の第１の端子と、
前記デバイスに接続されていると共に、前記印刷材収容体が前記印刷装置に装着された時に前記第２の装置側端子と接触する第２の端子と、
前記印刷材収容体が前記印刷装置に装着された時に前記第３の装置側端子と接触する第３の端子と、を備え、
前記第３の端子は、前記第２の端子と前記第３の端子との間の短絡の検出に使用されることを特徴とする印刷材収容体。
この第１の形態の印刷材収容体によれば、第３の端子は、高い電圧が印加される第２の装置側端子に隣り合って配置されている第３の装置側端子と接触するので、第２の端子と第３の端子との間の短絡又は第２の装置側端子と第３の装置側端子との間の短絡をいち早く検出できる。この結果、かかる短絡に起因する印刷材収容体および印刷装置の損傷を防止または抑制することができる。
本発明の第２の形態は、印刷材収容体のメモリを制御するメモリ制御回路と、前記メモリと異なるデバイスを駆動する駆動回路と、短絡検出回路と、前記メモリ制御回路に接続された複数の第１の装置側端子と、前記駆動回路に接続された第２の装置側端子と、前記短絡検出回路に接続された第３の装置側端子と備え、前記複数の第１の装置側端子と、前記複数の第２の装置側端子と、前記第３の装置側端子とは複数の列を形成するように配置され、前記複数の装置側端子は前記複数の列うち前記印刷材収容体が挿入される方向の奥側の列の端に配置されており、前記第２の装置側端子と前記第３の装置側端子とが互いに隣り合って配置されている印刷装置に装着可能な印刷材収容体であって、
前記印刷装置の印刷ヘッドに印刷材を供給する印刷材供給口と、
メモリと、
前記メモリに印加される電圧よりも高い電圧が用いられる高電圧回路を構成するデバイスと、
前記メモリに接続されていると共に、前記印刷材収容体が前記印刷装置に装着された時に前記複数の第１の装置側端子と接触する複数の第１の端子と、
前記デバイスに接続されていると共に、前記印刷材収容体が前記印刷装置に装着された時に前記第２の装置側端子と接触する第２の端子と、
前記印刷材収容体が前記印刷装置に装着された時に前記第３の装置側端子と接触する第３の端子と、を備え、
前記第３の端子は、前記第２の端子と前記第３の端子との間の短絡の検出に使用されることを特徴とする。
この第２の形態の印刷材収容体においても、第３の端子は、高い電圧が印加される第２の装置側端子に隣り合って配置されている第３の装置側端子と接触するので、第２の端子と第３の端子との間の短絡又は第２の装置側端子と第３の装置側端子との間の短絡をいち早く検出できる。この結果、かかる短絡に起因する印刷材収容体および印刷装置の損傷を防止または抑制することができる。
本発明の第３の形態は、上述した第１の形態の印刷材収容体を装着した印刷装置である。この印刷装置においても、上述と同様の効果を達成ことができる。
なお、上記第３の形態の印刷装置は、複数の前記第２の装置側端子を有し、
前記複数の第１の装置側端子と、前記複数の第２の装置側端子と、前記第３の装置側端子とは複数の列を形成するように配置されており、
前記複数の第２の装置側端子は、前記複数の列のうち前記印刷材収容体が挿入される方向の奥側の列の端に配置されているものとしてもよい。